(57)【要約】【課題】ラベルの搬送方向の長さが短い場合でも剥離後にラベルが本体部に張り付かないラベルプリンタを提供する。【解決手段】ラベルプリンタは、記録媒体を案内するガイドと、ガイドの記録媒体搬送方向上流かつロール状記録媒体の記録媒体搬送方向下流で記録媒体にテンションを付加するダンパーと、ガイドの記録媒体搬送方向下流で記録媒体に画像形成するヘッドと、記録媒体搬送路を挟み、ヘッドに対向して配置されるプラテンと、ヘッドの記録媒体搬送方向下流でラベルを台紙から剥離する剥離部と、剥離したラベルを粘着面から支持する支持部材と、を備える。【選択図】図１
2014162522.tif 000002
【特許請求の範囲】
【請求項１】
記録媒体を案内するガイドと、
前記ガイドの記録媒体搬送方向上流かつロール状記録媒体の記録媒体搬送方向下流で記録媒体にテンションを付加するダンパーと、
前記ガイドの記録媒体搬送方向下流で前記記録媒体に画像形成するヘッドと、
記録媒体搬送路を挟み、前記ヘッドに対向して配置されるプラテンと、
前記ヘッドの記録媒体搬送方向下流でラベルを台紙から剥離する剥離部と、
剥離した前記ラベルを粘着面から支持する支持部材と、
を備えるラベルプリンタ。
【請求項２】
前記支持部材は、
剥離された前記ラベルが外側に傾いて支持される位置に設置される請求項１記載のラベルプリンタ。
【請求項３】
前記支持部材は、
前記支持部材の先端部が前記剥離部の先端部よりも外側に位置するように備え、
前記剥離部の前記先端部と前記支持部材の前記先端部との距離は、前記ラベルプリンタが画像形成できる最小のラベルの搬送方向の長さより短い請求項１または請求項２記載のラベルプリンタ。
【請求項４】
前記支持部材は、
前記剥離部が設置される高さよりも重力方向下方に備え、
前記剥離部が設けられる高さと、前記支持部材が設けられる高さとの差の長さは、前記ラベルプリンタが画像形成できる最小のラベルの搬送方向の長さより短い請求項１乃至請求項３のいずれか１項に記載のラベルプリンタ。
【請求項５】
排出された前記ラベルを検知するセンサをさらに備え、
前記支持部材は、
前記センサが照射するビームと干渉する位置に切り欠きを備える請求項１乃至請求項４のいずれか１項に記載のラベルプリンタ。
【発明の詳細な説明】
【技術分野】
【０００１】
本発明の実施形態は、ラベルプリンタに関する。
【背景技術】
【０００２】
ロール状に巻かれた台紙に貼付されるラベルに画像形成するラベルプリンタは、ラベルを台紙とともに案内するガイドと、ガイドのラベル搬送方向下流に設けられ、ラベルに画像形成するヘッドと、ラベル搬送方向のロールとガイドとの間に設けられ、ラベルにテンションを付加するダンパーと、を備える。
【０００３】
ラベルプリンタは、ラベルに画像形成したのち、剥離部によって台紙からラベルを剥離する。
【０００４】
この際、従来のラベルプリンタはラベルの搬送方向の長さが短い場合、剥離したラベルがラベルプリンタの本体に張り付いてしまい、剥がすのに手間がかかるという問題が生じていた。
【先行技術文献】
【特許文献】
【０００５】
【特許文献１】特開２００９−２５５５８１号公報
【発明の概要】
【発明が解決しようとする課題】
【０００６】
本発明の実施形態が解決しようとする課題は、ラベルの搬送方向の長さが短い場合でも剥離後にラベルが本体部に張り付かないラベルプリンタを提供することである。
【課題を解決するための手段】
【０００７】
上記の課題を解決するために、本発明の一実施形態は、記録媒体を案内するガイドと、ガイドの記録媒体搬送方向上流かつロール状記録媒体の記録媒体搬送方向下流で記録媒体にテンションを付加するダンパーと、ガイドの記録媒体搬送方向下流で記録媒体に画像形成するヘッドと、記録媒体搬送路を挟み、ヘッドに対向して配置されるプラテンと、ヘッドの記録媒体搬送方向下流でラベルを台紙から剥離する剥離部と、剥離したラベルを粘着面から支持する支持部材と、を備えるラベルプリンタを提供する。
【図面の簡単な説明】
【０００８】
【図１】ラベルプリンタ１の構成を示す側面図である。
【図２】支持部材２１周辺のラベルプリンタの拡大図である。
【図３】ラベルプリンタ１の支持部材２１近傍の外観斜視図である。
【図４】ラベルプリンタ１の構成を示すブロック図である。
【発明を実施するための形態】
【０００９】
以下、ラベルプリンタの一実施形態について、図面を用いて詳細に説明する。
【００１０】
本実施形態のラベルプリンタは、記録媒体を案内するガイドと、ガイドの記録媒体搬送方向上流かつロール状記録媒体の記録媒体搬送方向下流で記録媒体にテンションを付加するダンパーと、ガイドの記録媒体搬送方向下流で記録媒体に画像形成するヘッドと、記録媒体搬送路を挟み、ヘッドに対向して配置されるプラテンと、ヘッドの記録媒体搬送方向下流でラベルを台紙から剥離する剥離部と、剥離したラベルを粘着面から支持する支持部材と、を備える。
【００１１】
図１は、ラベルプリンタ１の構成を示す側面図である。図１に示すように、ラベルプリンタ１は、記録媒体を案内するガイド１１と、ガイド１１の記録媒体搬送方向上流かつロール状記録媒体１９の記録媒体搬送方向下流に設けられ、記録媒体Ｓにテンションを付加するダンパー１０と、ガイド１１の記録媒体搬送方向下流に設けられ、記録媒体Ｓに画像形成するヘッド１３と、記録媒体搬送路を挟み、ヘッド１３に対向して配置されるプラテン１４と、制御部１８と、タッチパネルなどの入出力部１７と、を備える。
【００１２】
ラベルプリンタ１は、ヘッド１３の記録媒体搬送方向下流に設置され、ラベルを台紙から剥離する剥離部１２と、台紙を排出する排出ローラ１５と、排出されたラベルを検知するセンサ１６と、剥離したラベルを粘着面から支持する支持部材２１と、を備える。
【００１３】
記録媒体Ｓであるラベルは、台紙に貼付されたままロール状記録媒体１９から引き出され、ダンパー１０、ガイド１１、ヘッド１３及びプラテン１４を経由しては剥離部１２に掛けまわされる。
【００１４】
ラベルプリンタ１は、プラテン１４の回転によって記録媒体Ｓを搬送し、ヘッド１３によってラベルに画像形成する。
【００１５】
ラベルプリンタ１は、画像形成したラベルを剥離部１２によって台紙から剥離して排出する。ラベルプリンタ１は、ラベルが剥離された台紙を排出ローラ１５によって機外に排出する。
【００１６】
図２は、支持部材２１周辺のラベルプリンタの拡大図である。図２に示すように、ラベルプリンタ１は、支持部材２１を剥離部１２の台紙搬送路下流かつ台紙Ｄを挟み、剥離部１２の反対側に備える。
【００１７】
ラベルプリンタ１は、支持部材２１を支持部材先端部Ｌ２が剥離部１２の剥離部先端部Ｌ１よりも外側に位置するように備える。
【００１８】
剥離部先端部Ｌ１と支持部材先端部Ｌ２との距離は、ラベルプリンタ１が画像形成できる最小のラベルの搬送方向の長さより短い。
【００１９】
ラベルプリンタ１は、支持部材２１を剥離部１２が設置される高さＨ１よりも重力方向下方Ｈ２に備える。
【００２０】
剥離部１２が設けられる高さＨ１と、支持部材２１が設けられる高さＨ２との差の長さは、ラベルプリンタ１が画像形成できる最小のラベルの搬送方向の長さより短い。
【００２１】
ラベルプリンタ１の支持部材２１は、センサ１６から照射されえるビームと干渉しない位置に設けることが望ましい。また、支持部材２１は、ラベルＳ２が貼り付いたとしても、剥がれやすい素材であることが望ましい。
【００２２】
このような条件に基づいてラベルプリンタ１が支持部材２１を備える場合、剥離されたラベルＳ１が、矢印Ｘの方向に倒れてラベルＳ２の状態になったとしても、支持部材２１によって支持されるため、ラベルＳ２がラベルプリンタ１の本体に張り付くことはなくなる。
【００２３】
図３は、ラベルプリンタ１の支持部材２１近傍の外観斜視図である。図３に示すように、ラベルプリンタ１は、剥離されたラベルＳ２が外側に傾いて支持される位置に備える。
【００２４】
この位置において、支持部材２１の一部がセンサ１６のビームと干渉する場合、支持部材２１はその干渉する部分に切り欠き２１Ａを備えていてもよい。切り欠きは２１Ａ、複数あっても良い。切り欠き２１Ａがあることにより、支持部材２１にラベルＳ２が貼り付いても、ラベルＳ２との接触面積が少なくなるため、支持部材２１からラベルＳ２が剥がしやすくなる。
【００２５】
図４は、ラベルプリンタ１の構成を示すブロック図である。図４に示すように、ラベルプリンタ１は、演算装置であるＣＰＵを含む制御部１８と、メモリ、不揮発性メモリなどの記憶部６０１と、入出力部１７と、センサ１６と、ＰＯＳ端末などの上位装置と通信を行う通信部６０２と、を備える。
【００２６】
記憶部６０１は、制御部１８の制御に必要なプログラムを記憶する。入出力部１７は、例えば、タッチパネルであり、各種ボタンを有する。入出力部１７は、ラベルの印刷枚数やラベルへ印字する情報の入力を可能とする。入出力部１７は、表示部を有し、印字情報や、エラー情報等を表示（出力）する。センサ１６は排出されたラベルＳ２を検知する。
【００２７】
以上述べたように、本実施形態のラベルプリンタ１は、記録媒体を案内するガイド１１と、ガイド１１の記録媒体搬送方向上流かつロール状記録媒体１９の記録媒体搬送方向下流に設けられ、記録媒体Ｓにテンションを付加するダンパー１０と、ガイド１１の記録媒体搬送方向下流に設けられ、記録媒体Ｓに画像形成するヘッド１３と、記録媒体搬送路を挟み、ヘッド１３に対向して配置されるプラテン１４と、ヘッド１３の記録媒体搬送方向下流に設置され、ラベルを台紙から剥離する剥離部１２と、台紙を排出する排出ローラ１５と、排出されたラベルを検知するセンサ１６と、剥離したラベルを粘着面から支持する支持部材２１と、を備える。
【００２８】
従って、ラベルの搬送方向の長さが短い場合でも剥離後にラベルが本体部に張り付かないという効果がある。
【００２９】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３０】
１０：ダンパー
１１：ガイド
１２：剥離部
１３：ヘッド
１４：プラテン
１６：センサ
１９：ロール状記録媒体
２１：支持部材
【図１】
2014162522.tif 000003
【図２】
2014162522.tif 000004
【図３】
2014162522.tif 000005
【図４】
2014162522.tif 000006